(57)【要約】      （修正有）【課題】ロープの緊緩によりアームとブームを起立或いは正面方向に回動させるようにし、部品点数が少なく低コストで、しかも安全面を確保した昇降装置を提供する。【解決手段】ケ−ス１０内の上部側壁間にはハンドル１５と共働するシャフト１２を回転可能に架設し、このシャフト１２に小径ギア１６と原動側クラッチ１７を同期回転するように一体的に取り付け、内側に小径巻胴１９を具備した従動側クラッチ１８を遊挿し、従動側クラッチ１８の正面側にはこの従動側クラッチ１８を背面方向に付勢する手段を設けて構成されてなるロ−プ２７の巻き取り及び送り出しを行う手動式巻上装置を取り付けた支柱３と、ア−ム７とブ−ム３６とを正面方に向けて上下回動自在に連結し、ロ−プ２７巻き取りによりア−ム７及びブ−ム３６は起立して支柱３上を伸長し、ロ−プ２７送り出しによりア−ム７及びブ−ム３６は支柱３に対して正面方に回動する。【選択図】図２
2005132624.tif 000002
【特許請求の範囲】
【請求項１】
ロ−プの巻き取り及び送り出しを行う手動式巻上装置を取り付けた支柱と、ア−ムとブ−ムとを正面方に向けて上下回動自在に連結し、
前記ア−ム及び前記ブ−ムには、前記手動式巻上装置から引き出されたロ−プを前記ア−ム及び前記ブ−ムの動きに対応して支持するプ−リ−を備え、
前記ブームの先端には前記ロ−プを前記ブ−ムの正面側へ垂らすプ−リ−を有し、前記手動式巻上装置によるロ−プ巻き取りにより前記ア−ム及び前記ブ−ムは起立して前記支柱上を伸長し、前記手動式巻上装置によるロープ送り出しにより前記ア−ム及び前記ブ−ムは前記支柱に対して正面方に回動するように構成されてなることを特徴とする昇降装置。
【請求項２】
上記手動式巻上装置が、ケ−ス内の上部側壁間にはハンドルと共働するシャフトを回転可能に架設し、このシャフトに小径ギアと原動側クラッチを同期回転するように一体的に取り付け、内側にシャフト挿通孔を軸方向に貫設し小径巻胴を具備した従動側クラッチに前記シャフトを遊挿し、前記従動側クラッチの正面側にはこの従動側クラッチを背面方向に付勢する手段を設け、前記ケ−ス内の下部側壁間には回転シャフトを回転自在に架設し、この回転シャフトには大径巻胴と前記小径ギアと噛合する大径ギアとを前記回転シャフトと同期回転するように回転シャフトに一体的に取り付けて構成されてなることを特徴とする請求項１記載の昇降装置。
【発明の詳細な説明】
【技術分野】
【０００１】  本発明は、高層マンション等の階上の屋内に屋外から家具等を吊上げ搬入するのに使用する昇降装置に関する。
【背景技術】
【０００２】  従来、この種の昇降装置としては走行台車の作業台をリフト機構で昇降自在に取り付け、この作業台に電動式のクレ−ンを設置することにより、長尺な重量物を安定的に上昇するようにした高所作業車が提案されている（例えば、特許文献１参照）。又、ロ−プの巻き取り及び送り出しを行うウインチを市販の伸縮式立て掛け梯子に取り付け、ウインチから上方へ引き出したロ−プを滑車により下方に垂下させるようにした昇降装置が提案されている（例えば、特許文献２参照）。又、昇降用ロ−プと逆転防止付昇降用ロ−プ巻取手段を有すると共に案内装置に沿って移動可能な運搬台車を配置し、傾斜面上部に位置する部分の案内装置に、昇降用ロ−プの固定手段を設けることにより、傾斜面での重量物の運搬を迅速かつ容易にするようにした重量物運搬装置が提案されている（例えば、特許文献３参照）。又、手動式巻上機としては特許文献４記載のものが存在する（例えば、特許文献４参照）。
【特許文献１】特開平０６−１９１７９６号公報
【特許文献２】特開平１１−２９２９５号公報
【特許文献３】特開平０７−２６７５９９号公報
【特許文献４】特公平０３−５８９９８号公報
【発明の開示】
【発明が解決しようとする課題】
【０００３】  上記背景技術のうち特許文献１記載の高所作業車であると、上下動するリフト上に人が乗り、リフトに設けたクレ−ンで荷物を吊上げるように構成されているので、リフト機構には人と荷物の両方の重量が負荷され、トラックの荷台等のような箇所には取付が困難で、又、リフト上の作業者が危険であるという問題点を有していた。特許文献２記載の昇降装置であると、傾斜した梯子に負荷をかける構成であるので、重量物の昇降には不向きであるという問題点を有していた。特許文献３記載の重量物運搬装置は階段等の勾配を有する面における運搬装置に関するもので、重量物を真上及び真下方向に搬送することはできないという問題点を有していた。特許文献４記載の手動式巻上機は、構成部品点数が多く、コスト高を招来するという問題点を有していた。
そこで、本願発明はかみ合い型クラッチを手動式巻上装置に用い、ロ−プの緊緩によりア−ムとブ−ムを起立或いは正面方向に回動させるようにし、部品点数が少なく低コストで、しかも安全面を確保した昇降装置を提供することを目的とする。
【課題を解決するための手段】
【０００４】  上記目的を達成するために、本発明のうち請求項１記載の発明は、ロープの巻き取り及び送り出しを行う手動式巻上装置を取り付けた支柱と、ア−ムとブ−ムとを正面方に向けて上下回動自在に連結し、前記ア−ム及び前記ブ−ムには、前記手動式巻上装置から引き出されたロ−プを前記ア−ム及び前記ブ−ムの動きに対応して支持するプ−リ−を備え、前記ブ−ムの先端には前記ロ−プを前記ブームの正面側へ垂らすプ−リ−を有し、前記手動式巻上装置によるロ−プ巻き取りにより前記ア−ム及び前記ブ−ムは起立して前記支柱上を伸長し、前記手動式巻上装置によるロ−プ送り出しにより前記ア−ム及び前記ブ−ムは前記支柱に対して正面方に回動するように構成されてなることを特徴とする。
本発明のうち請求項２記載の発明は、手動式巻上装置が、ケ−ス内の上部側壁間にはハンドルと共働するシャフトを回転可能に架設し、このシャフトに小径ギアと原動側クラッチを同期回転するように一体的に取り付け、内側にシャフト挿通孔を軸方向に貫設し小径巻胴を具備した従動側クラッチに前記シャフトを遊挿し、前記従動側クラッチの正面側にはこの従動側クラッチを背面方向に付勢する手段を設け、前記ケ−ス内の下部側壁間には回転シャフトを回転自在に架設し、この回転シャフトには大径巻胴と前記小径ギアと噛合する大径ギアとを前記回転シャフトと同期回転するように回転シャフトに一体的に取り付けて構成されてなることを特徴とする。
【発明の効果】
【０００５】  本発明は巻上装置が手動式であるため、燃費が不要であり、しかも部品点数が少ないので、装置の低コスト化を図り得るという効果がある。
ロ−プを巻き取る場合、原動側クラッチと従動側クラッチのつめが係合すれば巻き取りを停止し、使用前の状態になるので、ハンドル操作が簡便であるという効果がある。
手動式巻上装置を備えた支柱とア−ム及びブ−ムとより構成されるため軽量であり、運搬しやすく、トラック荷台や手摺り等の所望位置に取り付けて使用できるという効果がある。
【発明を実施するための最良の形態】
【実施例１】
【０００６】  図１は本発明昇降装置の実施例において、取付台をトラック荷台に取り付け荷物を吊持した状態を示す側面図、図２はロ−プを巻き取るときの作動状態を示す説明図、図３及び図４は本発明昇降装置に使用する手動式巻上装置の構造を示す説明図、図５は手動式巻上装置に使用されるクラッチの説明図である。
まず、図１及び図２において、取付台１は、例えばトラックの荷台２等の所望位置に着脱可能に取り付けられるように形成されている。取付台１の偏平な上部フレ−ムには支柱３が垂直に取り付けられている。取付台１の下部フレ−ムには高さ調整手段４を備えた脚５が取り付けられ、支柱３は取付台１と脚５とにより２点支持されるようにしている。
支柱３は、上端部が上面を開口した中空に形成され、ア−ム７が正面方向に回動可能に支柱３の上端左右側壁間に架設された枢軸６によりア−ム７の下端を枢支されている。支柱３の上部には外側方に張り出したフランジ状の受け部８を設けている。手動式巻上装置９のケ−ス１０は支柱３の下部背面側に取り付けたブラケット１１により支柱３に固定的に取り付けられている。
図３〜図５を参照にして手動式巻上装置９について説明する。シャフト１２の側壁両端には軸受１３、１４を設け、シャフト１２の一端はケ−ス１０を貫通してハンドル１５と連結されている。軸受１３、１４はケ−ス１０の側壁の対向する位置に固定的に取り付けられている。シャフト１２には小径ギア１６と原動側クラッチ１７が固定的に取り付けられ、小径ギア１６及び原動側クラッチ１７がシャフト１２と同期回転するようにしている。従動側クラッチ１８には小径巻胴１９が一体的に取り付けられ、この小径巻胴１９を具備する従動側クラッチ１８の軸心部には軸方向に沿って挿通孔２０を貫設している。挿通孔２０にはシャフト１２が遊挿されている。シャフト１２のうち軸受１４の背面と小径巻胴１９の正面との間には、小径巻胴１９の方向に付勢するコイルバネ２１を巻着介在させている。ケ−ス１０の側壁下部間にはシャフト１２と平行なシャフト２２を回転自在に架設している。シャフト２２には、小径ギア１６と噛合する大径ギア２３と大径巻胴２４とを一体的に取り付けている。大径巻胴２４は、小径巻胴１９の下方に位置するようにシャフト２２に取り付けている。２５、２６は軸受である。ロ−プ２７は、一端が大径巻胴２４に固着して巻着され、小径巻胴１９に１回巻き付けられてケ−ス１０の上面に設けられた穿孔２８より上方に送り出されている。
アーム７の中途位置には取付板２９を取り付けている。取付板２９はア−ム７の背面方に於いてア−ム７の下端近傍まで延設され、下端にはプ−リ−３０を取り付けている。取付板２９は、ア−ム７の正面方に於いてフック係合孔３１を有するフック係合板３２を取り付けている。支持筒３３は、内径がア−ム７及び支柱３の外径より僅かばかり大径に形成され、ア−ム７が起立するとア−ム７と支柱３の枢着部（連結部）を内側に配設してア−ム７を支柱３と直線状に安定保持するように形成されている。ア−ム７の上端には背面方に突き出すプ−リ−取付板３４を取り付け、プ−リ−取付板３４の後端にはプ−リ−３５を設けている。
ア−ム７の上端には正面方に回動可能にブ−ム３６の下端を枢着している。ブ−ム３６の上端にはプ−リ−３７を設けている。
ケ−ス１０の穿孔２８より外部へ引き出されたロ−プ２７は、プ−リ−３０、３５、３７に懸回され、他端にはフック３８を取り付けている。【０００７】  次に作用について説明する。トラックの荷台２等の所望位置に取付台１を取り付け後、フック３８をフック係合板３２の係合孔３１より外し、フック３８に荷３９を吊設するように取り付けている。図４に示すように、ハンドル１５を右方向に回転させると、シャフト１２と共に小径ギア１６及び原動側クラッチ１７は右方向に同期回転する。原動側クラッチ１７と従動側クラッチ１８のかみ合い状態は解除され、原動側クラッチ１７の角型つめは従動側クラッチ１８のつめ間に形成された内傾する傾斜面に沿って移動し、原動側クラッチ１７の角型つめと従動側クラッチ１８の傾斜面との圧接位置に応じて従動側クラッチ１８は正面方に移動し、コイルバネ２１は圧縮する。ハンドル１５の動力は、小径ギア１６により大径ギア２３に伝達される。小径ギア１６の右回転動は大径ギア２３に左回転動として伝達され、シャフト２２を左方向に回転させる。大径巻胴２４もシャフト２２と左方向に同期回転し、ロ−プ２７を巻き取る。
ロ−プ２７は、プ−リ−３７、３５、３０を移動して大径巻胴２４に巻き取られるのであるが、ケ−ス１０の外側に位置するロ−プ２７の長さが短くなるとプ−リ−３０は大径巻胴２４に最も近付くためにア−ム７を起立させる。ア−ム７が起立すると、支持筒３３はア−ム７に沿って落下し、受け部８に支承される。支持筒３３は、支持筒３３の内側に支柱３とア−ム７の枢着部が配設されるように位置し、支柱３とア−ム７の直線状の連結状態を安定的に保持する作用をなす。さらに、ロ−プ２７を大径巻胴２４に巻き取ると、ロ−プ２７は可能な限り、短い距離にて張設しようとするため、垂直に起き上がったア−ム７の上端よりブ−ム３６は起立する。図２中の一点鎖線で示すように、プ−リ−３５、３７間の距離は、ブ−ム３６がア−ム７と直角をなしている場合よりもブ−ム３６が起立状態のときの方が短いため、ロ−プ２７を巻き取ると、ア−ム７、さらにはブ−ム３６は起立する。フック３８に吊持した荷３９の重量よりも大なる力をもってロ−プ２７を下方向に牽引しているため、ロ−プ２７の牽引力によりア−ム７およびブ−ム３６は支柱３の延長線上に配置される。フック３８に吊持された荷３９は上方へ吊り上げられる。
ハンドル１５を左方向に回転すると、図３に示すようにシャフト１２と共に小径ギア１６及び原動側クラッチ１７は左方向に回転し、原動側クラッチ１７と従動側クラッチ１８はかみ合う。コイルバネ２１の復元力により、原動側クラッチ１７の角型つめは従動側クラッチ１８の谷部と嵌合する。図４の状態から図３の状態に至る過程で、小径ギア１６の左方向回転により大径ギア２３は右方向に回転する。大径巻胴２４は右方向に回転するシャフト２２と同期回転し、ロ−プ２７は穿孔２８より外部へ送り出され、ロ−プ２７の張力は緩められ、ア−ム７及びブ−ム３６は正面側に回動する。このように、ロ−プ２７を外部へ送り出す場合、圧縮されたコイルバネ２１の復元力を利用するので、ハンドル１５を作業者が左方向に回転する作業を行わなくても、ハンドル１５から手を離すと自動的にロ−プ２７が送り出される。
【図面の簡単な説明】
【０００８】
【図１】取付台をトラック荷台に取り付け荷物を吊持した状態を示す側面図である。
【図２】ロ−プを巻き取るときの作動状態を示す説明図である。
【図３】本発明昇降装置に使用する手動式巻上装置の構造を示す説明図である。
【図４】本発明昇降装置に使用する手動式巻上装置の構造を示す説明図である。
【図５】手動式巻上装置に使用されるクラッチの説明図である。
【符号の説明】
【０００９】３  支柱
７  ア−ム
９  手動式巻上装置
１２、２２  シャフト
１５  ハンドル
１６  小径ギア
１７  原動側クラッチ
１８  従動側クラッチ
１９  小径巻胴
２３  大径ギア
２４  大径巻胴
２７  ロ−プ
３０、３５、３７  プ−リ−
３６  ブ−ム
【図１】
2005132624.tif 000003
【図２】
2005132624.tif 000004
【図３】
2005132624.tif 000005
【図４】
2005132624.tif 000006
【図５】
2005132624.tif 000007